(57)【要約】      （修正有）【課題】実のなる野菜、トマト、ナス、ピーマン、キュウリ、ゴーヤ、等において、栽培中に根から水を吸収して葉からの蒸散作用により、どれだけの水が必要としているか時間単位と１日単位で水の使用量を計測する装置を提供する。【解決手段】実のなる野菜１４が、苗の時から実の収穫までの時期において、ペットボトル容器給水タンク３を、底面給水容器１に何本入れ替えしたか合計数を計測することで、水の消費量の計測が可能となる。外部に専用な測定器具等を必要とせず、栽培容器は底面給水容器と小型プランター２及びペットボトル容器給水タンク３点構成で、実のなる野菜の水の使用量が計測可能になる。【選択図】図７
2019041743.tif 000002
【特許請求の範囲】
【請求項１】
実のなる野菜の根から水を吸収して、葉から蒸散作用による、その水量を計測する装置であって、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から水を吸収して、葉の蒸散作用の水量を、ペットボトル容器給水タンク水位変化の計測を、記録に残すことが可能になる
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本底面給水容器から入れ替えしたかで、また時間単位計測ではペットボルト容器給水タンクの水位変化を計測することを特徴とする底面給水量計測装置。
【発明の詳細な説明】
【技術分野】
【０００１】  本発明は、実のなる野菜、トマト、ナス、ピーマン、キュウリ、ゴーヤ等の栽培において、１日でどの程度の水量を必要とするかを計測する装置。
【背景技術】
【０００２】  従来の実のなる野菜栽培では、プランターの土栽培では土面に水を散水するがプランターの底部に穴が開いていれば散水した水が下側から水漏れと、土の表面からの蒸発作用で、水やりした水量分散してしまい、正確に計測が難しい。
【発明の概要】
【発明が解決しようとする課題】
【０００３】  本発明は、１本実のなる野菜が、根から水を吸収して、葉の蒸散作用の水量を時間単位計測と、１日単位計測を可能にさせることを提案する。
【課題を解決するための手段】
【０００４】    本発明は、上記の目的を達成するために、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から水を吸収して、葉の蒸散作用の水量を、ペットボトル容器給水タンク水位変化の計測を、記録に残すことが可能になる
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本底面給水容器から入れ替えしたかで、また時間単位計測ではペットボルト容器給水タンクの水位変化を計測することを特徴とする底面給水量計測装置、上記の課題を解決した。
【発明の効果】
【０００５】  上述したように、実のなる野菜が、水の消費量を時間単位と１日単位で消費量を計測する、時間単位ではペットボトル容器給水タンク３の水位変化目盛板の目盛計測で、１日単位計測ではペットボトル容器給水タンク３何本入れ替えしたかの本数計測で可能となる。
【図面の簡単な説明】
【０００６】
【図１】  底面給水容器斜視図
【図２】  底面給水容器３点ユニット組立図
【図３】  底面給水容器小型プランター受け入れ口断面図
【図４】  底面給水容器ペットボトルキャップ受け入れ口断面図
【図５】  ペットボルトキャップ平面図及び側面図
【図６】  小型プランター設置斜視断面図
【図７】  実施形態ユニット斜視図
【図８】  目盛板付きペットボトル容器図
【符号の説明】
【０００７】１、  底面給水容器
２、  小型プランター
３、  ペットボトル容器給水タンク  （２リットル）
４、  小型プランター受け入れ口
５、  ペットボトルキャップ受け入れ口
６、  小型プランター底部穴
７、  ビニールホースメイン用
８、  ビニールホースサブ用
９、  シリコン
１０、底面給水容器底部
１１、水苔
１２、ペットボルトキャップメイン用
１３、ペットボルトキャップサブ用
１４、実のなる野菜  （トマト、ナス、ピーマン、キュウリ、ゴーヤ、等）
１５、実のなる野菜の葉
１６、２分割フタ
１７、苗木の通し穴
１８、メイン用水位面
１９、サブ用水位面
２０、ビニールホースカット面
２１、目盛板
【発明の実施するための形態】
【０００８】  以下、本発明の実施の形態を図１―図８に基図いて説明する。
図１は、底面給水容器斜視図を示す。
底面給水容器１は、箱型形状の一体型容器で、上側面には開口部は３か所あり、１か所目は小型プランター２を受け入れ口は、小型プランター受け入れ口４となり、ペットボルトキャップメイン用１２とペットボルトキャップサブ用１３の受け入れ口ペットボルトキャップ５の２か所有する。
【０００９】図２は、底面給水容器３点ユニット組立図を示す。
底面給水容器１に小型プランター２とペットボルト容器給水タンク３を２本設置された状態で、底面給水容器１の接続面は隙間のない密封構造となる。
【００１０】図３は、底面給水容器小型プランター受け入れ口断面図を示す。
底面給水容器１は、小型プランター２の外径寸法に合わせた開口部で、小型プランター受け入れ口４はできている。
【００１１】図４は、底面給水容器ペットボトルキャップ受け入れ口断面図を示す。
底面給水容器１の上側面にペットボトルキャップ受け入れ口５は２か所あり、ペットボトル容器給水タンク３は、キャップを下側にして底面給水容器１の上側面に直角に立てる、ペットボトルキャップ受け入れ口５はペットボトルキャップ外径寸法にあわせた開口部となっている。
【００１２】図５は、ペットボトルキャップ平面図及び側面図を示す。
ペットボトルキャップは再利用している、どこのメーカー製品でも外形寸法に共通性があり、底面給水容器１のペットボルトキャップ受け入れ口に対して設置可能である。
【００１３】  ペットボトルキャップ加工方法は、中心部にビニールホースを通す穴を開け、キャップの内側にシリコン９を充填することで完成できる。ペットボルトキャップメイン用１２には、ビニールホースメイン用７固定される、ペットボトルキャップサブ用１３には、ビニールホース用８が固定される
【００１４】  ペットボルト容器給水タンク３の先端部に取付した、ペットボトルキャップメイン用１２は、ペットボルト容器給水タンク３の内部の水はビニールホースメイン用７を流下して、底面給水容器１の内部に水は給水される、底面給水容器１の内部水位がメイン容器水位面１８の水位まで上がると、ビニールホースメイン用７の先端部が水面に接すると給水は止まる、大気圧と水圧バランスで給水は出たり止まったり繰り返す、容器内部の水が出て分と空気が連続して入れば、水は連続して出る、水の出た分の空気が容器の中に入らないと大気圧と水圧のバランスで給水は止まる。
【００１５】  ペットボトル容器給水タンク３の先端部に取付したペットボトルキャップサブ用１３は、サブ用水位面１９のその下まで下がり、ビニールホースサブ用８から給水が始まる、給水が止まる時は、ビニールホース８の先端部がサブ用水位面１９に接することで、容器内部に空気が入らなくなり、給水は止まる、小型プランター２に実のなる野菜１４が栽培中では底面給水容器１の内部水位は常に下がり続ける、ペットボトル容器給水タンク３は空になる順番はペットボトルキャップメイン用１２、次にペットボルトキャップサブ用１３となる。
【００１６】図６は、小型プランター設置斜視断面図を示す。
小型プランター底部穴６は水を取り入れするだけでなく、実のなる野菜の１４根の育成に、小型プランター２だけの内部容積では不足するため底面給水容器１内部全体に根が伸びていく根の道として、小型プランター２多数穴を設けている。
【００１７】  小型プランター２の上に、２分割フタ１６のります、小型プランター２の内部にあります、培地として水苔１１を使用している、水苔１１の表面からの水蒸発防止と、実のなる野菜１４の根の育成は表面を暗くすることで根が水苔１１表面まで根が伸びてきます、２分割フタ１６真ん中にある穴は苗木の通し穴１７となります。
【００１８】  図８は、目盛板付きペットボルト
時間単位計測では、ペットボルト容器給水タンク３に目盛板２１貼り付けて、容器内部の水位面の変化巾を目盛に合わせて記録を残すことで、計測した時間記入しておくことで、時間とともに変化する水位面巾が、根から水を吸収して、葉から、蒸散作用の水の量が計測できる。
【００１９】図７は、実施形態ユニット組立斜視図を示す・
実のなる野菜１４、トマト、ナス、ピーマン、キュウリ、ゴーヤ等は小型プランター２と同じ外形サイズであれば、底面給水容器１に対して実のなる野菜１４を入れ替えすることが可能である。
【００２０】  実のなる野菜１４を小型プランター２で別な場所で多数栽培している中から、選んで水の消費量の計測を底面給水容器１に移して設置できれば時間単位か、１日単位計測もできる。
【００２１】  実のなる野菜１４の中で、ゴーヤ等においては太陽光の当たる時間帯では
2019041743.tif 000003
収している、１０分単位でも水の消費量が計測可能である。
【００２２】  大学研究室おいても、ペットボトル容器給水タンク３の水位面の変化を時間経過にあわせて記録残せば、１本ゴーヤの水の消費量を計測できる、同じ実のなる野菜１４、ナス、トマト、ピーマン、キュウリ等においても同じ方法で水の消費量を計測が可能である、外部に専用測定器具等を必要しないで、実のなる野菜１４の水消費量を３点構成ユニットで計測を可能にした。
【図１】
2019041743.tif 000004
【図２】
2019041743.tif 000005
【図３】
2019041743.tif 000006
【図４】
2019041743.tif 000007
【図５】
2019041743.tif 000008
【図６】
2019041743.tif 000009
【図７】
2019041743.tif 000010
【図８】
2019041743.tif 000011
【手続補正書】
【提出日】平成29年12月21日(2017.12.21)
【手続補正１】
【補正対象書類名】特許請求の範囲
【補正対象項目名】請求項１
【補正方法】変更
【補正の内容】
【請求項１】
実のなる野菜の根から水を吸収して、葉から蒸散作用による、その水量を計測する装置であって、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から水を吸収して、葉の蒸散作用の水量を、ペットボトル容器給水タンク水位変化の計測を、記録に残すことが可能になる
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本、底面給水容器に入れ替えしたか、記録に残すことが可能となり、また時間単位計測ではペットボトル容器給水タンクの水位変化を計測する、このように小型プランター中の１本の実のなる野菜が根から吸収して、葉から蒸散する水量を、ペットボトル容器給水タンクの水位変化から計測することができることを特徴とする底面給水量計測装置。
【手続補正２】
【補正対象書類名】明細書
【補正対象項目名】０００４
【補正方法】変更
【補正の内容】
【０００４】    本発明は、上記の目的を達成するために、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から水を吸収して、葉の蒸散作用の水量を、ペットボトル容器給水タンク水位変化の計測を、記録に残すことが可能になる
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本、底面給水容器に入れ替えしたか、記録に残すことが可能となり、また時間単位計測ではペットボトル容器給水タンクの水位変化を計測する、このように小型プランター中の１本の実のなる野菜が根から吸収して、葉から蒸散する水量を、ペットボトル容器給水タンクの水位変化から計測することができることを特徴とする底面給水量計測装置、上記の課題を解決した。
【手続補正書】
【提出日】平成29年12月27日(2017.12.27)
【手続補正１】
【補正対象書類名】特許請求の範囲
【補正対象項目名】請求項１
【補正方法】変更
【補正の内容】
【請求項１】
実のなる野菜の根から水を吸収して、葉から蒸散作用による、その水量を計測する装置であって、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から吸収して葉から蒸散する水量を、ペットボトル容器給水タンクの水位変化から計測することができ、また、記録に残すことが可能になり、また、
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本底面給水容器から入れ替えしたかで、また時間単位計測ではペットボトル容器給水タンクの水位変化を計測することを特徴とする底面給水量計測装置。
【手続補正２】
【補正対象書類名】明細書
【補正対象項目名】０００４
【補正方法】変更
【補正の内容】
【０００４】  本発明は、上記の目的を達成するために、
計測装置構成は、底面給水容器と小型プランター及びペットボトル容器給水タンクの３点構成となる、
底面給水容器の中に小型プランターを入れて、小型プランターの培地は水苔使用して、小型プランター中に実のなる野菜苗は１本だけ、肥料として水の中に養液を少量入れて、液体肥料として使用、この液体肥料はペットボトル容器給水タンクに入れ、底面給水容器の上側に、ペットボルトキャップを下側にして底面給水容器差し込み，直角に立てる、小型プランター内部には培地として水苔は毛細管現象により、底部より水苔の上部面まで水分が上がり、水分の自然蒸発防止に、小型プランターの上に２分割フタをする、
計測装置として底面給水容器に小型プランターとペットボトル容器給水タンクを設置した時に、接続面には隙間のない密封構造にする、小型プランターの中で栽培される実のなる野菜が、苗の時から実の収穫時期までに、実のなる野菜がどれだけの水を必要したかを、１日あたりから１か月単位で水を使用したか計測して、記録を残すこともできる、また時間単位の水の計測は、ペットボトル容器給水タンクの側面にある目盛板の目盛と容器内部水位面位置を外側から計測することで、小型プランター中の１本の実のなる野菜が根から吸収して葉から蒸散する水量を、ペットボトル容器給水タンクの水位変化から計測することができ、また、記録に残すことが可能になり、また、
葉の蒸散作用により底面給水容器内部水位が下がり、ペットボトルキャップ先端部が水面から離れると、ペットボトル内部に空気が入り、ペットボトル容器給水タンクから給水が始まる、実の収穫時期においては、１日水の消費量がおおくなり、１日分の水を確保するために、ペットボトル容器給水タンク２本設置して、順番に給水が出来るように、ペットボルトキャップのホースの長さを短いのと、長いホースを２本キャップ取付けしている、
１日単位の水消費量計測は、ペットボルト容器給水タンクを何本底面給水容器から入れ替えしたかで、また時間単位計測ではペットボトル容器給水タンクの水位変化を計測することを特徴とする底面給水量計測装置、上記の課題を解決した。